(57)【特許請求の範囲】
【請求項１】
ケーブル接続部の周囲を覆い、ケーブルを導出しうる円筒状のスリーブを軸方向に二分割する突き合わせ接合面を形成し、該スリーブの長手方向の片側をヒンジ部で連結すると共に、スリーブの長手方向の他側を締め付けるためのバックルを備えて分割スリーブの互いに対向した接合面を連結一体化したクロージャにおいて、前記ヒンジ部が、一方側のスリーブに長手方向に突設された複数のピンと、これら各ピンに対応する位置の他方側のスリーブに設けてある挿入穴とから着脱自在の構成となる脱着ヒンジとし、該ヒンジ部が、両分割スリーブの開放角度を一定角度以内に制限する対向する傾斜端面のストッパ機構を備えたことを特徴とするケーブル接続クロージャ。
【請求項２】
前記バックルが、ブラケットに枢着したハンドルと、該ハンドルに設けた回動部材に嵌挿したネジ杆の一端に一方のスリーブに嵌支できるピンまたはフックを設けた請求項１記載のクロージャ。
【請求項３】
前記スリーブの両端に、前記ケーブル接続部の両側のケーブルを貫通する端面板とを備え、ケーブル挿通孔に連通するスリットを端面板外側面に貫通して設け、該スリットで切開された端末を拡開しうるように構成した請求項１または２記載のクロージャ。
【請求項４】
前記スリーブから導出されるケーブルの周囲に中空円筒状のスペーサを嵌挿配備し、該スペーサの片側にケーブル差込み挿入用のスリットを設ける請求項３記載のクロージャ。
【発明の詳細な説明】
【０００１】
【産業上の利用分野】
本発明は、光ケーブルなどの通信ケーブルの接続部を保護するためのクロージャ、特に光ケーブル用クロージャの改良に関するものである。
【０００２】
一般に、ケーブル接続用クロージャは、ケーブル接続部の両側のケーブルを貫通して取付けられた端面板と、前記接続部をかぶせて収容する縦割りの円筒状のスリーブとからなり、両端面板間にスリーブを装架して、該スリーブの互いに対向した分割突き合わせ部分を取付けネジなどの固定手段で連結して一体化し、ケーブル接続部を気密に保護する構造のものが多用されている。
【０００３】
【従来の技術】
従来のケーブルの接続部を保護する収容体のスリーブは、スリーブの変形防止の剛性を保ち、湿気の浸入を阻止しなければならないために、スリーブの各構成部分は互いに密に結合され、かつケーブル端との間の結合も密でなければならず、気密材を設けたケーブル収容体は、製作煩雑で高価となり経費を要するし、耐久性の面でも問題があり、スリーブの気密確保のために締め付け力の管理や組立作業性が煩雑となって取扱上にも問題があった。
本発明は、これら従来の欠点を排除しようとするもので、ケーブル接続部の収容体の変形防止を図り、安全性と気密性をも高めると共に、スリーブの組立作業性を大幅に向上できるほかケーブル接続作業時での開かれたスリーブの取扱い処理がしやすく、ケーブル接続用クロージャを構成簡単で安価な形態で提供することを目的とするものである。
【０００４】
【課題を解決するための手段】
本発明は、ヒンジ部が、一方側のスリーブに長手方向に突設された複数のピンと、これら各ピンに対応する位置の他方側のスリーブに設けてある挿入穴とから着脱自在の構成となる脱着ヒンジとし、該ヒンジ部が、両分割スリーブの開放角度を一定角度以内に制限する対向する傾斜端面のストッパ機構を備えたものである。
【０００５】
【作用】
上スリーブを下スリーブにヒンジ機構で連結しておき、ケーブルを端面板から挿通してスリーブ内の接続機構に接続して、上スリーブをヒンジ機構を中心として回動して下スリーブに端面板を押しつけつつ下スリーブ上にかぶせ、上下両スリーブ相互を押さえつけてスリーブ片側にある締結具のバックルで突き合わせたスリーブ接合面を順次締め付け取り付けて、所定のトルクで数回に分けた締結で組立てられ、ケーブルシール材や端面板の取付け姿勢を安定強固にすると共に、密封性も大幅に高められ、バルブより注入されたガスによってクロージャとして安全に用いられ、また締結具での連結を解くと上スリーブをヒンジ中心に容易に回転させスリーブを設定角度に開き或いは取り除き作業スペースに応じた処理でスリーブ内部のケーブル接続作業を簡便にできるものである。
【０００６】
【実施例】
本発明を図１乃至図１７の円筒状のスリーブ１と、スリーブの側面嵌合部２に嵌装された端面板３とを備えたクロージャの例で説明すると、端面板３，３に、幹線光ケーブルが貫通されてケーブル把持金具４で固定され、かつ、該ケーブルのテンションメンバが、テンションメンバ把持金具５に接続連結されている。
前記スリーブ１は、円筒状のハウジングで、軸方向に沿って両側が分離接合面で上下に分割できるようにしたもので、合成樹脂、例えばＰＰ樹脂或いはガラス繊維を充填した難燃性のＦＲＰＰ或いは熱可塑性エラストマーなどから構成され、軸方向に縦割りに二分割する突き合わせ接合面と、該スリーブ１の両端に、嵌装される端面板３、例えば耐候性、耐オゾン性等の諸特性に優れたＥＰＤＭなどのゴム板材とを備えてある。
そして、この端面板３は、設けたケーブル挿通孔２０に孔を覆い切離しうる薄肉キャップ部２１を一体に備え、該ケーブル挿通孔２０に連通するスリット２２を端面板外側面に貫通して設けて、スリット２２で切開された端末を拡開しうるように構成してあり、この端面板３の対面する接合面を含み、前記スリーブ１の分割接合面に、ガスケット７を嵌合挾持しうる凹溝６を備えると共に、前記端面板３に対向する内面側に、ケーブル外周に沿う押え挾持片からなるケーブル把持金具４と、テンションメンバ把持金具５およびテンションメンバ接続具９とを設けた連結金具８を固定装備し、さらに分割スリーブの対向接合面を締結するバックル３０を備え、かつ前記スリーブ１の外周にネジからなる締結具１１のあるバンド１２を着脱自在に巻回配備し、分離面での密封性が高められて連結できるようにしてある。
【０００７】
このバンド１２としては、スリーブ１に巻回できる帯状金属板などで形成され、その両端にフックを設け、該フックに係合された係合片を介してボルト１１が螺合されてフック間を接離自在に連結できるようにしてあるが、スリーブ１の外周にリブ（図示せず）を突設して、リブ間の凹部にバンド１２を巻回装着して外れ防止に役立たせることも配慮される。
この場合、スリーブ１の両端部付近のみにバンド１２を使用し、気密性を増やしてバックル３０で本締めしてあるが、該バックル３０をスリーブ１の仮締め用として使用し、本締めをバンド１２で締結した形態とすることもできるし、バックル機構を持ったバンドを締結具として使用してもよい。
【０００８】
前記スリーブ１は、上下に分割可能の形態として端面板３間にシール材を介在させて、前記スリーブガスケット７と共に、クロージャ内の気密性を維持できるようにしてあり、互いに対向した接合面を固定手段で連結一体化できるようにしてある。即ち、スリーブの長手方向の片側を脱着ヒンジのヒンジ部２７，２８で連結し、他側に締め付けと、増し締めできるバックル３０とを備えてある。
そして、前記端面板３としては、小判形或いは楕円形、円形などのゴム弾性体からなり、複数のケーブル挿通孔２０にそれぞれ薄肉キャップ部２１を有し、該薄肉キャップ部２１を選択的に切除開口して貫通孔として用いるようになっていて、ケーブルを嵌挿しやすく水平面に対して傾斜したスリット２２を有するケーブル挿通孔とし、該スリット２２を挟んで両側に跨がって保形用の接続片２４を嵌合保持する凹面部２３に備えていて、スリット２２にシール部材２５を当てがって、接続片２４により保形締結される構成となっていて、ケーブル挿通孔をクロージャの内外に貫通するようにしてある。（図５乃至図８）
【０００９】
なお、前記ケーブル挿通孔２０、２０で形成される貫通孔またはケーブル導出孔には、ゴム製などでのスペーサ４３、或いはエアタイトテープを巻き付けてケーブルの外周面を密着できるようにすることが配慮されている。
【００１０】
このスペーサ４３は、ゴム弾性体を自然環境化で使用するので、環境温度に対応して収縮、膨張できるように、外周とスリーブ間、ケーブル挿入孔の内径とケーブル外周間に圧力変化に対応するスペーサ４３を介在し、圧力変化を極力少なくすることで、圧縮応力の確保、低温収縮防止を図り、さらにスペーサ４３はスリット加工してケーブル挿入しやすくし、外周面または／及び内周面にはリング状の山部を複数突出設けてある。前記端面板３のケーブル挿入孔２０に於いて、外径の異なるケーブルが挿入される場合、同一径の挿入孔で対応可能とするために、外径は挿入孔と同一とし内径はケーブル外径に対応したケーブルスペーサ４３にてその内径、外径に山溝を設けて、ケーブルにセットすることで気密性を確保出来る構造とするのがよい。
また、前記端面板３の内面側に対向してスリーブ１に固着した連結金具８上の両端にケーブル把持金具４、４を取付ネジで、またテンションメンバを把持金具５に固定ネジで順次取付け、中央部に一対のリング１４、１４のある収納用取付金具１５、例えば収納トレイを設け、芯線を分配ガイドして接続できるように、テンションメンバ接続具９を配備しうるようにしてある。（図１及び図１７）
【００１１】
さらに、前記ケーブル把持金具４としては、図１６のようにケーブル挿通凹部１６１のある受具１６にケーブル外周に沿う彎曲保持片１７をピン１８で回動自在に設けて開閉させて、ネジ１９でケーブルを挾持固定化するようにしてケーブル把持が簡便にできるようにしてある。即ち、ケーブル挿通凹部１６１を一体で複数設けた受具１６と、該受具１６に着脱可能なピン１８によるヒンジ機構を回転自在に枢着された彎曲保持片１７と、彎曲保持片１７を、前記受具１６に脱着する取付ネジ１９とから構成されてケーブルを把持できるもので、受具内面、彎曲保持片内面には山形状の凸起が複数設けてあり、ケーブル外被に噛み込んで把持力を得られるようにしてある。なお、前記弯曲保持片１７は、受具１６に着脱自在に設けた脱着構造とすることもできる。
【００１２】
また、テンションメンバ把持金具５に取付けたケーブルテンションメンバは、単穴或いは複数穴タイプを用いるが、取付板にアームを介してケーブル挿入部を１から複数まで設けたもので、スリーブ１内に固着されてケーブルを保持する。即ち、ケーブル外被を必要長さ剥ぎ取り、内部のスロットロッドを剥ぎ取り際から所定寸法で切断したのち、テンションメンバを所定寸法になるようスロットロッドをカッタ等を使用して裸にしてケーブルの接続の準備を終了させる。ケーブルの所定位置の外被を円周方向に研磨清掃し、ケーブルスペーサを嵌挿させたのち端面板３のケーブル挿入孔になる薄肉キャップ部と斜スリット部を切除開口し、スリット端末を拡開してケーブルを挿入しケーブル挿入孔に貫通させ、スリット部に山溝付のシール部材を装着し、接続片を嵌装してスリットを閉塞保持させ、該端面板外周部のスリット部を覆うようにテープ状ガスケットをなじませるように接着させる。その後、ケーブル把持金具を必要なスペーサを用いてケーブル外被に装着し、締結ボルトにより所定トルクで締結してからテンションメンバをテンションメンバ把持金具にテンションメンバ把持具を用いて締結ねじにて必要トルクにて締め付ける。そして下スリーブに端面板を押しつけつつ、スリーブ１を締結してある。この場合、ガスケット７をスリーブ１のガスケット凹溝６に挿入して、端面板ガスケットになじませてから、上スリーブ１を下スリーブ１にかぶせ、スリーブ相互を押えつけて中央部分から外へ相互にバックル３０を順次締めつけ取り付ける。
前記スリーブ１或いは端面板３には、バルブのあるガス注入口部（図示せず）を設けて、該ガス注入口部から封入ガスを注入してクロージャ接続部の保護を確実にするようにしてある。
【００１３】
このような構造の接続部を組み立てる場合、各ケーブルにスペーサ４３を挿入し、或いはケーブルシール材を巻き付け、ケーブルの端部の外被をケーブル把持金具４により固定したのち、端面板３の接合面にシール材及びスリーブ１の接合面にガスケット７を介して分割スリーブ１、１の接合面を突き合わせて、該スリーブの外周にあるバックル３０を締め付け、さらに締結具１１のあるバンド１２を巻回して締結具１１を締め付けて固定するもので、順次所定間隔ごとにバックル３０の取付けと、締め付けを繰り返してスリーブ１の全長にわたって気密維持を強固にし信頼性の高い密封構造にすることができる。
なお、この組立状態において、縦割りの接合面間にはスリーブガスケット７が径方向に圧縮されていることで、比較的小さい挾持力で高い気密性を保持することができ、また端面板３とケーブルとの間にはスペーサが、ケーブル長さ方向に介在されシール材があって、スリーブ１、１の姿勢が安定すると共に、組立てを容易にするし、気密性を著しく向上できる。このスリーブガスケット７は、断面形状を長方形として角部に丸味をつけて、上下面に凹溝を形成してリップ効果を持たせるようにし、組立性・気密性の向上を図ることが考慮されている。
【００１４】
一方、前記スリーブ１，１の締結状態を解除するときには、締結具１１のボルトを緩めてバンド１２をスリーブ１、１から外し、バックル３０の締結を解除して端面板３からスリット開き止め用の接続片２４を外し、スリーブ１の接合面を離間して分割すれば、ケーブルの交換も容易にすることができる。
【００１５】
前記スリーブ１の分割縁部には、図２のように対応して、ピン２７と挿入穴２８とからなる引掛けヒンジ機構を設けて脱着できるようにしてあって、該ピン２７を挿入穴２８に現場にて嵌合後、バックル３０を掛止してしめつけるだけで、上下スリーブ１，１が簡単に正合できるようにしてある。即ち、前記ヒンジ機構は、複数本のピン２７とそれらに対応する挿入穴２８とからなり、或いは複数の挿入孔に貫通する単一の支杆で固着または着脱自在に設けられている固定ヒンジまたは脱着ヒンジとする。
【００１６】
なお、前記端面板３としては、図５乃至図８の如くゴムスペーサで等径または異径の４穴のケーブル挿通孔２０があって、穴ごとにスリット２２があり、その端末を開けることで、ケーブルを挿入嵌合できる形態となっていて、ケーブル挿通孔２０の穴径とケーブル径の変化対応は、端面板３を介して行うようにしてある。前記スリット２２の中間部にプラスチックで両面に山溝を設けた合わせ目スペーサ４３が、挿入可能となる構造としてあり、斜めのスリット２２は、ケーブルが挿入されない時は端面板３の片面と外周面が薄肉で塞がれてあり、ケーブル挿入時に挿入孔のキャップ部２１を、切除して開くことができ、作業性の向上と気密信頼性の向上をはかっている。
前記スリット２２を切除して使用する場合には、ケーブル挿入後、再度閉じる工程時に切除された外周部の開く作用やズレを防止するために開き止め金具としての接続片２４が凹面部２３に付設される。
また、端面板３の最外周面は、全周にわたって複数の山溝２６を設けてあり、スリーブ内面との圧縮力が得られて気密性を保つと共に、内部へ伝達される圧縮力によりケーブルとの気密性が得られるようにしてある。
即ち、スリーブ１の嵌合部２と端面板３との気密保持機構は、端面板３の外周に山溝２６を設け、バンドの締め付け力をスリーブ１が受け、山溝２６に伝わって気密を保持できるようにし、端面板ガスケットを不要として組立解体作業性を向上できるようにしてある。
【００１７】
前記心線取付金具１５の収納トレイは、図１７に示す如く１テープ毎に固定方式として５〜２０テープ／１トレイの実装ができるようにし、この収納トレイを多段に重積し、ヒンジ部で連結して必要トレイの位置が開放でき作業性を向上できるようにしてある。
なお、前記スリーブ１としては、長手方向に沿って縦割りで上下に二分割される半円筒体の対で構成され、スリーブの分割接合面に行くに従って厚肉部に形成し、かつ外接合面に凹溝６を備えていて気密性の維持を確実化できるようにしてあるが、前記端面板３を省略したケーブル直接挿入形状とすることも選んでできる。
【００１８】
前記スリーブ１，１の分割接合面の密接固定化には、図１８の如く、スリーブの分割縁部の長手方向の片側をピン２７の引掛ヒンジと他側を挿入穴２８とからなる脱着ヒンジとし、他側を回動自在のバックル３０にて締め付け可能にすることで、作業性の向上を図り、また、ヒンジ側のスリーブ凹溝６に設置したスリーブガスケット７が、ヒンジを支点としてスリーブ１を閉じる方向に回転することにより、自動的に上下スリーブ１，１の凹溝６に収まるようにすることもできる。なおヒンジ機構としては、上下スリーブ１のいずれか一方のスリーブにピンを長手方向に装着され、他方のスリーブに挿入穴を対設して脱着することが選べる。
【００１９】
前記バックル３０としては、図１９乃至図２２に示すようにフックを引掛け、ハンドル操作によるワンタッチで、上下スリーブ１，１を所定の寸法まで締結でき締結後に、さらにその寸法を接近できる増し締め機構、例えば、ネジ杆とナットを備えて調整できるようにしたものを用いるのがよい。
【００２０】
図１９の例では、バックル３０としてブラケット３１に枢着したハンドル３２と、該ハンドル３２に設けた回動部材３３に嵌挿したネジ杆３４の一端に一方のスリーブ１に設けたブラケット３１に嵌支できるピン３５を設けたものからなり、さらにもう一つのブラケット３１を他方のスリーブ１に固着して、両スリーブ１，１の分割面を締結し、さらに前記ネジ杆３４に螺合したナット３６の移動で、ピン３５とブラケット３１との間隙を増減できるようにしてある。
【００２１】
図２０の例のバックル３０は、図１９の例と同様であるが、ピン３５に代えてフック部３７をネジ杆３４に設けて、他方のスリーブ１に設けたピン３８に掛止できるようにしてあり、ハンドル３２を枢着ピン３９で一方のスリーブ１に固着したブラケット３１に枢着してある。また図２１のバックル３０では、ブラケットとハンドル３２を兼用した例で、ハンドル３２を他方のスリーブ１に枢着ピン３９で回動自在に定着し、該ハンドル３２に設けた回動部材３３に嵌挿したネジ杆３４の一端にフック部３７、他端にナット３６を螺合して締結、増締できるようにしてある。
【００２２】
図２２のバックル３０は、図２１の例と同様で、ネジ杆に代えてフックアーム４０を用いフック部３７にピン５８と、長孔５７とで摺動自在にコマとなる引掛部材４２を設けて、ネジ４１でコマ位置を変え締結、増締できるものとしてある。
【００２３】
なお、図１９乃至図２２の各例において、各バックル３０はバンドに固定してバックルバンドとして用いられる構成としても有効な締結具となる。
【００２４】
図２３の例では、等径の４穴タイプのスリーブ１で両端に端面板３を嵌装できる側面嵌合部２と、前記ガスケット７を嵌合する凹溝６を周囲に備えたもので、図２４及び図２５に示すような端面板３を選んでスリーブとの組立密封構造としてもよく、該端面板３には外周に全周にわたって複数山溝２６を設けて、スリーブ内面との圧縮力が得られて気密性を保つと共に、内部へ伝達される圧縮力によりケーブルとの気密性を保つようにしてある。
なお、前記端面板３に保形用の中央スペーサ２９を必要に応じ設け、複数のケーブル挿通孔２０に形成した薄肉キャップ部２１を選択的に切除開口して貫通孔として用いるようになっていて、さらにケーブルを嵌挿しやすく水平面に対して傾斜した或いは平行なスリット２２を設け、該スリット２２を挟んで両側に跨がって接続片２４を嵌合保持する凹面部２３に備えていて、スリット２２にシール部材２５を当てがって、接続片により締結される構成となっていて、ケーブル挿通孔をクロージャの内外に貫通するようにしてある。（図２３乃至図２５）
【００２５】
図２６に示すように、前記スリーブ１から導出されるケーブルの周囲に備えられる中空円筒状のスペーサ４３は、一方に拡開できるように該スペーサ４３の片側にケーブル差込み挿入用のスリット４４を設けると共に、スペーサ４３の内周および外周にリング状に山溝４５，４６をそれぞれ備え、気密性の確保を容易にし、かつ組立、解体性の取扱作業の簡便化をはかってある。
【００２６】
また、前記スリーブ内に設けられるケーブルテンションメンバ把持具５１は、図２７の如くケーブルを嵌挿する挿通部４７を単数または複数アーム４８を介して取付板４９に備え、前記挿通部４７に固定締付ネジ５０を備えたものを用い、前記テンションメンバ把持金具５に取付けて１本または複数本のケーブル中心のテンションを掛けた装備が容易にできる。
【００２７】
図２８の例では、ケーブル接続部の周囲を覆い、軸方向に二分割する円筒状スリーブ１を互いに対向した接合面を固定手段で連結一体化し、ケーブルをスペーサを介して挿入導出しうる嵌挿用凹部５２とガスケット用凹溝とを分割接合面５４に形成した端板部１１を前記スリーブ１の両端に一体に備えて端面板の並びにその組込作業を省略して、直接ケーブルを挿入でき、気密性の確保も容易であり、取扱簡便な形態とし、さらに分割スリーブ１，１が、その長手方向の片側をピン２７と挿入穴２８のヒンジ機構で連結し、他側に締め付けと、必要に応じ増し締めできるバックル３０を用いて、スリーブの組立、解体の作業を容易にしてある。
【００２８】
図２９及び図３０の例のように、簡易バックル３０のあるスリーブ１の両端に半円板状の端板部１１を一体にまたは別体に形成すると共に、該端板部１１の分割接合面５４にケーブル嵌挿用凹部５２を備え、ピン軸２７１にテーパー部２７２を形成して、スリーブ１の開き角が約３０〜６０度の状態で着脱できるようにし、該テーパー部を噛み込ませて作業時に上下スリーブ１，１が簡単に外れないように配慮するのも好適例である。即ち、上下スリーブ１，１の開き角度が約３０〜６０度の状態としてピン軸２７１のテーパー部２７２を挿入穴２８の挿入用切欠凹状受部２８１に噛み込ませて、上スリーブ１をピン軸２７１の軸方向にスライドさせて定置し、作業上での安全性を高めるヒンジ機構とするのもよい。
【００２９】
図３１の実施例では、分割スリーブの連結、締結は一側縁側のみで操作でき、他側縁側に作業空間が十分確保できない場合、例えばマンホール内のように狭い場所においても、作業者側（−側縁側）に作業空間があれば容易にクロージャの取付作業が行えるようにしたもので、２つの分割スリーブ１，１をヒンジ部６０と、締結用連結部材７０とで連結し、スリーブ１，１を開いた状態とした場合、ヒンジ部６０に設けたストッパー機構６６によって、両分割スリーブの開放角度が一定角度で制限される。即ち、両分割スリーブを開く方向への回転が一定角度で止まるようにしたもので、一方の分割スリーブを接続部に係合させた場合に、他方の分割スリーブが必要以上に開き、反作業側に他方の分割スリーブが回転して、作業側から遠くに位置してしまい作業性を悪化させる不都合を防ぐことができる。
さらに、２つの分割スリーブ１，１の分割スリーブ本体を同一形状としているので、両分割スリーブ本体を連結するための締結部用連結部材とヒンジ用連結部材をそれぞれ締結部７０とヒンジ部６０に取り付ける際に、２つの分割スリーブ本体を区別することなく取付作業ができ、また、これら分割スリーブ本体を同一の金型によって製作できるようにしてある。
前記スリーブ１の両端部にある半円板状の端板部１１は、バックル６７により締結され、その接合面部に２個のケーブル６８の挿通孔６９が形成され、隙間にはケーブルシール材が密に配備されている。
【００３０】
前記スリーブ１の一側縁に備えた締結部７０は、図３２に示すように連結部材取付部７２に金属丸棒のループ状連結バネ７１と、回動自在の締結レバー７３と、スリーブ１に備えた連結部材ロック部７５に係止される支点突起部７４とからなり、また前記ヒンジ部６０は、図３３及び図３４に示すように、スリーブ１の他側縁に備えた連結部材取付部６２の挿入凹部６３に、金属丸棒のループ状のヒンジリング６１が回動可能に配備され、該ヒンジリング６１の他端が、スリーブ１の連結部材ロック部６５の挿入凹部６４に着脱自在に係止されるものからなっていて、スリーブ連結・開放が自在に行え、殊にヒンジリング６１と連結バネ７１とがスリーブ−側縁及び他側縁のいずれにも使用できるように対応した同じ構成とするのがよい。
【００３１】
前記ヒンジ部６０に設けたストッパ機構６６としては、両側縁を合わせた場合、前記連結部材取付部６２と、連結部材ロック部６５との互いに対向する端面を利用し、外側に面を向けた傾斜面として両端面で形成される角度θは３０°に設定されている（図３３）。即ち、これら端面は、分割スリーブ１，１の回転時に端面が互いに当接し、係止されることによりストッパ機構として働き、分割スリーブ１，１の開放角度θが３０°までに制限される構成となっている。
なお、スリーブ１，１の開放角度３０°となるよう設定したが、９０°以下に設定すれば、反作業側に分割スリーブ１２Ａが倒れ難くなり、作業性を損なうことがない。
また、前記上下スリーブ１，１の一側縁の端部と他側縁の端部には、長さ方向に沿って溝７６，７７が形成され、該溝７６に棒状のスリーブーシール材７８（シール材）が設けられ、該スリーブシール材７８は、ゴム等の弾性体からなり、横断面が楕円形状をなしていて、その長径方向を両分割スリーブ１，１による挟持方向に向けた状態として前記溝７６に配置され、その挟持力によって圧縮させられることにより両分割スリーブ１，１の間を密封している。
さらに、スリーブ内外面に山溝形状を持っていて、圧縮永久歪みに優れているスチレン系、またはオレフィン系の熱可塑性エラストマーを用いれば、安価で製造容易であり、加硫工程をも必要としないためスクラップの回収・再利用が容易である。
【００３２】
【発明の効果】
本発明は、ヒンジ部が、一方側のスリーブに長手方向に突設された複数のピンと、これら各ピンに対応する位置の他方側のスリーブに設けてある挿入穴とから着脱自在の構成となる脱着ヒンジとし、該ヒンジ部が、両分割スリーブの開放角度を一定角度以内に制限する対向する傾斜端面のストッパ機構を備えたことにより、スリーブを設定角度に開き或いは取り除き作業スペースに応じた処理でスリーブ内部のケーブル接続作業ができ、連結時にもスリーブの接合面を突き合わせて締結具で締め付けることが簡便にでき、ケーブル接続部のスリーブによる被覆収容作業を著しく迅速に行うことができ、しかも少ない締め付け個所でスリーブ全周にわたって均一に圧迫して信頼性の高い密封を確保できると共に、スリーブの姿勢も安定して取扱い良好で、組立作業の容易化に役立ち、接続固定も楽に安全に行え、コストの点でも優れ、ケーブル接続用クロージャの構成も簡単で安価な形態にすることができる。
【図面の簡単な説明】
【図１】本発明の実施例を示し、一部を分離し、切欠して内部を表した使用状態の斜視図である。
【図２】図１のスリーブの一部の分離斜視図である。
【図３】図２の正面図である。
【図４】図１の例の組立状態の一部切断側面図である。
【図５】図１の例の端面板の拡大正面図である。
【図６】図５のＡ−Ａ線における切断平面図である。
【図７】図５のＢ−Ｂ線における切断側面図である。
【図８】図５の外側からみた側面図である。
【図９】図１のスリーブの一部切断側面図である。
【図１０】図９の例の底面図である。
【図１１】図９のＣ−Ｃ線における切断正面図である。
【図１２】図９のＤ−Ｄ線における切断正面図である。
【図１３】図９のＥ−Ｅ線における切断正面図である。
【図１４】図１０のＦ−Ｆ線における拡大切断正面図である。
【図１５】図１０のＧ−Ｇ線における拡大切断正面図である。
【図１６】図１の例のケーブル把持金具の正面図である。
【図１７】図１の例の収納用取付金具で、（ａ）は側面図、（ｂ）はその平面図である。
【図１８】本発明の他の実施例の一部を切欠したスリーブの斜視図。
【図１９】図１８の例のバックルの拡大図で、（ａ）は正面図、（ｂ）は側面図である。
【図２０】バックルの他の実施例で、（ａ）は正面図、（ｂ）は側面図である。
【図２１】バックルのさらに他の実施例で、（ａ）は正面図、（ｂ）は側面図である。
【図２２】バックルのさらにまた他の実施例の側面図である。
【図２３】スリーブの他の実施例で、（ａ）は側面図、（ｂ）は正面図、（ｃ）は平面図である。
【図２４】端面板の他の実施例で、（ａ）は正面図、（ｂ）は一部切断平面図、（ｃ）は縦断面図である。
【図２５】端面板のさらに他の実施例で、（ａ）は正面図、（ｂ）は一部切断平面図、（ｃ）は側面図である。
【図２６】スペーサの一実施例で、（ａ）は側面図、（ｂ）は正面図、（ｃ）はＹ−Ｙ線における縦断面図である。
【図２７】ケーブルテンションメンバの一実施例で、（ａ）は正面図、（ｂ）は平面図である。
【図２８】本発明のスリーブの他の実施例の一部切欠状態の斜視図である。
【図２９】本発明のスリーブのさらに他の例で、（ａ）は正面図、（ｂ）はその一部の側面図、（ｃ）はその一部の平面図である。
【図３０】図２９の例の組立状態を示すヒンジ部分で、（ａ）はその縦断正面図、（ｂ）はその平面図である。
【図３１】さらに本発明のクロージャの他の実施例の斜視図である。
【図３２】図３１の例のスリーブ部の断面図で、（ａ）は分割スリーブの閉じた状態を示し、（ｂ）は開いた状態を示す。
【図３３】図３２の例のヒンジ部の拡大図で、（ａ）は閉じた状態の断面図、（ｂ）はヒンジ部の開閉作動の説明図である。
【図３４】図３２の例の連結部材取付部の拡大図で、（ａ）は側面図、（ｂ）は斜視図でる。
【符号の説明】
１  スリーブ
２  側面嵌合部
３  端面板
４  ケーブル把持金具
５  テンションメンバ把持金具
６  凹溝
７  スリーブガスケット
８  連結金具
９  テンションメンバ接続具
１１  締結具
１２  バンド
１４  リング
１５  収納用取付金具
１６  受具
１６１  ケーブル挿通凹部
１７  弯曲保持片
１８  枢支
１９  ネジ
２０  ケーブル挿通孔
２１  薄肉キャップ部
２２  スリット
２３  凹面部
２４  接続片
２５  シール部材
２６  山溝
２７  ピン
２８  挿入穴
２９  スペーサ
３０  バックル
３１  ブラケット
３２  ハンドル
３３  回動部材
３４  ネジ杆
３５  ピン
３６  ナット
３７  フック部
３８  ピン
４３  スペーサ
４５，４６  山溝
５１  ケーブルテンションメンバ把持具
６０  ヒンジ部
６１  ヒンジリング
６２  連結部材取付部
６３，６４  挿入凹部
６５  連結部材ロック部
６６  ストッパ機構
７０  締結部
７１  連結バネ
７２  連結部材取付部
７３  締結レバー
７５  連結部材ロック部
【図１】
0003629746.tif 000002
【図２】
0003629746.tif 000003
【図３】
0003629746.tif 000004
【図４】
0003629746.tif 000005
【図５】
0003629746.tif 000006
【図６】
0003629746.tif 000007
【図７】
0003629746.tif 000008
【図８】
0003629746.tif 000009
【図９】
0003629746.tif 000010
【図１０】
0003629746.tif 000011
【図１１】
0003629746.tif 000012
【図１２】
0003629746.tif 000013
【図１３】
0003629746.tif 000014
【図１４】
0003629746.tif 000015
【図１５】
0003629746.tif 000016
【図１６】
0003629746.tif 000017
【図１７】
0003629746.tif 000018
【図１８】
0003629746.tif 000019
【図１９】
0003629746.tif 000020
【図２０】
0003629746.tif 000021
【図２１】
0003629746.tif 000022
【図２２】
0003629746.tif 000023
【図２３】
0003629746.tif 000024
【図２４】
0003629746.tif 000025
【図２５】
0003629746.tif 000026
【図２６】
0003629746.tif 000027
【図２７】
0003629746.tif 000028
【図２８】
0003629746.tif 000029
【図２９】
0003629746.tif 000030
【図３０】
0003629746.tif 000031
【図３１】
0003629746.tif 000032
【図３２】
0003629746.tif 000033
【図３３】
0003629746.tif 000034
【図３４】
0003629746.tif 000035